(57)【要約】  本発明は、本質的に、以下を具備している、タッチ制御グレージング（１００）に関する：好ましくは鉱物ガラスの、第一の透明グレージング（１）、導電層（２）、及び導電層（２）に作られているタッチ感知構造（３０）を具備している、容量性タッチ感知装置（３）、ここで、タッチ感知構造（３０）は、接地電極（３１）、及びタッチ感知領域（３２ａ）を有するタッチ電極（３２）を具備している；導電層（２）に配置されており、タッチ感知領域（３２ａ）を表示するための、発光ダイオード（６）も具備しており、発光ダイオード（６）は、タッチ感知領域（３２ａ）に少なくとも部分的に面している発光面を有しており、発光ダイオード（６）は、接地電極（３１）に電気的に接続されている第一の電極領域である第一の端子（６１）、及びタッチ感知領域（３２ａ）に電気的に接続されている第二の電極領域である第二の端子（６２）を有する。
2019525399.tif 000002
【特許請求の範囲】
【請求項１】
以下を具備している、タッチ制御グレージング（１００）：
−第一の主面（Ｓ３）を有する、好ましくは鉱物ガラスの、第一の透明グレージング（１）；
−前記第一の透明グレージング（１）の前記第一の主面（Ｓ３）に適用されている、導電層（２）；
−前記導電層（２）に作られているタッチ感知構造（３０）を具備している、容量性タッチ感知装置（３）、ここで、前記タッチ感知構造（３０）は、接地電極（３１）、及びタッチ感知領域（３２ａ）を有するタッチ電極（３２）を具備しており、前記タッチ電極（３２）は、前記接地電極（３１）により包囲されており、前記タッチ電極（３２）と前記接地電極（３１）とは、分離線（３５）により互いに電気的に絶縁されている；
−前記導電層（２）に配置されており、前記タッチ感知領域（３２ａ）を表示するための、発光ダイオード（６）、ここで、前記発光ダイオード（６）は、前記タッチ感知領域（３２ａ）に少なくとも部分的に面している発光面を有しており、前記発光ダイオード（６）は、前記接地電極（３１）に電気的に接続されている第一の電極領域である第一の端子（６１）、及び前記タッチ感知領域（３２ａ）に電気的に接続されている第二の電極領域である第二の端子（６２）を有する。
【請求項２】
前記発光ダイオード（６）が、前記分離線（３５）をまたいで配置されている、請求項１に記載のタッチ制御グレージング（１００）。
【請求項３】
前記接地電極（３１）が前記タッチ感知領域（３２ａ）へと突出している接地経路（３１ａ）を含むようにして、前記分離線（３５）がパターン形成されており、前記接地経路（３１ａ）が、前記分離線（３５）の第一の部分（３５ａ）により画定されており、前記発光ダイオード（６）が、前記分離線（３５）の前記第一の部分（３５ａ）をまたいで配置されており、前記発光ダイオード（６）の前記第一の端子（６１）が、前記接地経路（３１ａ）に電気的に接続されている、請求項１又は２に記載のタッチ制御グレージング（１００）。
【請求項４】
前記タッチ感知領域（３２ａ）が、所与の幅（Ｗ１）を有しており、前記接地経路（３１ａ）が、前記タッチ感知領域（３２）の前記幅（Ｗ１）以下の長さ（Ｌ）を有する、請求項３に記載のタッチ制御グレージング（１００）。
【請求項５】
前記タッチ感知領域（３２ａ）が、中心点に関して対称な形状を有しており、前記発光ダイオード（６）が、好ましくは前記中心点をまたいで配置されている、請求項４に記載のタッチ制御グレージング（１００）。
【請求項６】
前記容量性タッチ感知装置により制御される機能要素を具備しており、前記機能要素が、一式の無機発光ダイオード等の光源、加熱要素、懸濁粒子装置、液晶装置、エレクトロクロミック装置、表示装置、乗物又は建物の施錠システム、乗物のワイパー又は空調装置の中から選択される、請求項１〜５のいずれか一項に記載のタッチ制御グレージング（１００）。
【請求項７】
前記容量性タッチ感知装置により制御する機能要素、特に自動車の操作可能なグレージングにおける機能要素を具備しており、前記機能要素が、好ましくは前記導電層（２）の一部である、加熱領域（２０）であり、前記タッチ感知構造（３０）と前記加熱領域（２０）とが、分離線（３６）により互いに電気的に絶縁されている、請求項１〜６のいずれか一項に記載のタッチ制御グレージング（１００）。
【請求項８】
前記発光ダイオード（６）が、機能要素、好ましくは前記タッチ制御グレージングと連動している機能要素の状態を、特に前記第一の主面側において表示することができる、請求項１〜７のいずれか一項に記載のタッチ制御グレージング（１００）。
【請求項９】
前記発光ダイオード（４）が、発光半導体チップを具備している、無機発光ダイオードであるか、又は複数の発光半導体チップを具備している多色発光ダイオードであり、各々の発光半導体チップが、前記第一及び第二の端子（６１ａ、６１ｂ、６１ｃ、６２ａ、６２ｂ、６２ｃ）、分離線により互いに電気的に絶縁されている複数の接地経路（３４ａ、３４ｂ、３４ｃ）を具備している前記タッチ感知構造（３０）を有しており、各々の前記第二の端子（６２ａ、６２ｂ、６２）が、前記接地経路（３４ａ、３４ｂ、３４ｃ）のうちの１つと電気的に接続されている、請求項１〜８のいずれか一項に記載のタッチ制御グレージング（１００）。
【請求項１０】
前記発光ダイオード（４）が、有機発光ダイオードを具備している、請求項１〜９のいずれか一項に記載のタッチ制御グレージング（１００）。
【請求項１１】
特に乗物のフロントガラス若しくは屋根若しくはサイドウィンドウ、又は建物のドア若しくは窓を作るために構成されており、前記タッチ制御グレージング（１００）が、熱可塑性材料製の中間層（２）を介して前記第一の透明グレージング（１１）に積層されている、好ましくは鉱物ガラス製の、第二の透明グレージング（１’）を具備している積層グレージングであり、前記第一の透明グレージング（１）が、前記第一の主面（Ｓ３）に対向している第二の主面（Ｓ４）を有しており、前記第二の透明グレージング（１’）が、第一の主面（Ｓ１）、及び積層されている層の側の前記第一の主面（Ｓ１）に対向している第二の主面（Ｓ２）を有しており、前記導電層（２）が、前記第一の透明グレージング（１）の前記第一の主面（Ｓ３）と前記第二の透明グレージング（１’）の前記第二の主面（Ｓ２）との間に配置されている、請求項１〜１０のいずれか一項に記載のタッチ制御グレージング（１００）。
【請求項１２】
前記導電層（２）が、前記第一の透明グレージング（１）の前記第一の主面（Ｓ３）に直接的に適用されており、前記導電層が、好ましくは透明であり、かつ前記第一の透明グレージングの表面にわたって延在しているか、又は局在している、請求項１〜１１のいずれか一項に記載のタッチ制御グレージング（１００）。
【請求項１３】
前記導電層が、透明であり、かつ前記第一の透明グレージングの表面にわたって延在しており、好ましくは加熱要素、日射調整層、低ｅ層の中から選択され、前記導電層が、前記第一の透明グレージング（１）の前記第一の主面（Ｓ３）と接しているか又は接していない、請求項１〜１２のいずれか一項に記載のタッチ制御グレージング（１００）。
【請求項１４】
前記導電層（２）が、前記第一の透明グレージング（１）の前記第一の主面（Ｓ３）の側に配置されているキャリア（９）に適用されている、請求項１〜１１のいずれか一項に記載のタッチ制御グレージング（１００）。
【請求項１５】
前記キャリアが、透明であり、かつ好ましくはプラスチック箔、特にＰＥＴ箔である、請求項１４に記載のタッチ制御グレージング（１００）。
【請求項１６】
前記容量性タッチ感知装置が、前記タッチ感知構造（３０）を制御するように構成されているセンサー電子部材アセンブリ（３３）、及び前記タッチ感知構造（３０）を通して前記発光ダイオード（６）へと電源電圧を供給するように構成されている電圧源（３７）、好ましくはＤＣ電圧源を具備しており、前記センサー電子部材アセンブリ（３３）及び／又は前記電圧源（３７）が、特に前記第一の透明グレージング（１）の外側に配置されている、請求項１〜１５のいずれか一項に記載のタッチ制御グレージング（１００）。
【請求項１７】
前記電圧源、好ましくはＤＣ電圧源（３７）が、前記センサー電子部材アセンブリ（３３）から分離されており、かつ好ましくは、前記ＤＣ電圧源（３７）が、キャパシタ（３９）により前記センサー電子部材アセンブリ（３３）から分離されている、請求項１６に記載のタッチ制御グレージング（１００）。
【請求項１８】
前記容量性タッチ感知装置（３）が、前記発光ダイオード（６）及び前記電圧源（３７）、好ましくはＤＣ電圧源の作動を制御するための手段（３８）を具備している、請求項１〜１７のいずれか一項に記載のタッチ制御グレージング（１００）。
【請求項１９】
請求項１〜１８のいずれか一項に記載のグレージング（１００）を製造するための方法（１０００）であって、次の工程を含む、方法：
−（Ｅ１）導電層（２）を、第一の透明グレージング（１）の第一の主面（Ｓ３）に、特に直接的に又はキャリア、好ましくは透明のキャリアを介して適用すること；
−（Ｅ２）前記導電層（２）に、容量性タッチ感知構造（１３０）を作ること、ここで、前記タッチ感知構造（３０）は、接地電極（３１）、及びタッチ感知領域（３２ａ）を有するタッチ電極（３２）を具備している；
−（Ｅ３）前記導電層（２）に、前記タッチ感知領域（３２ａ）を表示する発光ダイオード（６）を配置すること、ここで、前記発光ダイオード（６）は、前記タッチ感知領域（３２ａ）に少なくとも部分的に面している発光面を有しており、前記発光ダイオード（６）は、前記接地電極（３１）に電気的に接続されている第一の電極領域である第一の端子（６１）、及び前記タッチ感知領域（３２ａ）に電気的に接続されている第二の電極領域である第二の端子（６２）を有している。
【発明の詳細な説明】
【技術分野】
【０００１】
本発明は、タッチ感知装置及び発光ダイオードを具備しているタッチ制御グレージング、並びに上記のグレージングを製造するための方法に関する。
【背景技術】
【０００２】
今日では、タッチ感知装置の形態のスイッチ装置を組み込んでいるグレージングが開発されている。タッチ感知装置は、機能要素を制御することを可能とする。
【０００３】
タッチ感知装置は、同一の層又は異なる層に配置されている、２つの組み合わせられた電極の配置により作られている。例えば、容量性タッチ感知装置の場合、人の指がこれに近づいたときに、２つの組み合わせられた電極の間の電気容量が変化する。この静電容量の変化は、回路配置により測定され、閾値を超えたときに、スイッチ信号が作動する。
【０００４】
国際公開第２０１５／１６２１０７号パンフレットに記載されているように、光源、例えば発光ダイオードが、タッチ感知装置の位置を表示している。しかしながら、重要な欠点、例えばグレージングの製造プロセスの間の配列の問題が存在している。
【発明の概要】
【発明が解決しようとする課題】
【０００５】
本発明は、タッチ感知装置及び発光ダイオードインジケーターのグレージングへの改善された組み込みを提案することにより、上記でまさに記載した問題を解決することを目的としている。
【課題を解決するための手段】
【０００６】
このように、本発明の第一の態様は、以下を具備している、タッチ制御グレージング、特に乗物用の、特に自動車用のタッチ制御グレージングに関する：
−好ましくは鉱物ガラスの、乗物（自動車）用の場合には好ましくは湾曲している、第一の透明グレージング；
−第一の透明グレージングの第一の主面に適用されている、導電層、好ましくは、タッチ制御グレージングの透明な領域における場合、又は任意選択的に、第一の主面若しくは第二の主面上の、エナメル層等の隠蔽層を有する（局所的な）周囲領域における場合には、透明な（視認を可能とする）導電層；
−導電層に作られているタッチ感知構造を具備している、特に交流電源により給電される、容量性タッチ感知装置、ここで、タッチ感知構造は、接地電極及びタッチ感知領域を有するタッチ電極を具備しており；タッチ電極は、接地電極により包囲されており、タッチ電極と接地電極とは、分離線により互いに電気的に絶縁されている、
−導電層に配置されており、タッチ感知領域を表示するための、及び好ましくは、機能要素、好ましくはタッチ制御グレージングと連動している機能要素、特に（第二の主面側よりも寧ろ）第一の主面側において、機能要素の状態（オン／オフ又はそのレベル）を表示するための発光ダイオード、ここで、発光ダイオードは、タッチ感知領域に少なくとも部分的に面している発光面を有しており、発光ダイオードは、接地電極に電気的に接続されている第一の電極領域である第一の端子、及びタッチ感知領域に電気的に接続されている第二の電極領域である第二の端子を有する。
【０００７】
本発明においては、透明との用語は、可視スペクトル領域に含まれる光の透過率が、好ましくは７０％以上、８０％以上、又は９０％以上であることを意味する。しかしながら、グレージングを通した視認性が推奨されないときには、光透過率は、より低くてよく、例えば１％超又は５％超であってよい。
【０００８】
それによれば、発光ダイオード及びタッチ感知構造は、導電層とともに追加の層を配列することを必要としないように配置されており、それによって、製造プロセスを単純化している。更には、タッチ制御グレージングの厚さを低減させることができる。タッチ感知構造と発光ダイオードとの間に配置されている他の層は存在していない。更には、この構成においては、部材、例えばコネクター又はワイヤーが、以前よりも少ない。このことは、製造プロセスの単純化と相まって、製造コストの低減をもたらす。
【０００９】
第一の透明グレージングは、好ましくはプレストレスされているか、部分的にプレストレスされているか、又はプレストレスされていないガラス、特に好ましくは平坦なガラス、フロートガラス、石英ガラス、ホウケイ酸ガラス、ソーダ石灰ガラス、又は透明なプラスチック、特にポリエチレン、ポリプロピレン、ポリカーボネート、ポリメチルメタクリレート、ポリスチレン、ポリアミド、ポリエステル、ポリ塩化ビニル、及び／又はこれらの組合せを含有している。
【００１０】
第一の透明グレージングの厚さは、広範囲で変更することができ、かつそれによれば、理想的には個別的事例の要求に適合させることができる。第一の透明グレージングは、好ましくは１０ｍｍ以下、８ｍｍ以下、特に好ましくは５ｍｍ以下、より特に、自動車用途（特に陸上・路上の乗物）については、３ｍｍ未満、１．１ｍｍ未満の厚さを有する。厚さが１．１ｍｍ未満である場合には、この第一の透明グレージングは、強化されていてよく、特に化学的に強化されていてよい。この第一の透明グレージングは、好ましくは第二の透明グレージングがより厚い厚さを有する状態である、積層グレージングの内部グレージングとなり得る。第一の透明グレージングの面積は、広範囲で変更することができ、例えば１００ｃｍ2〜１８ｍ2である。好ましくは、第一の透明グレージングは、自動車グレージング、並びに構造及び建築グレージングのために一般的であるように、４００ｃｍ2〜４ｍ2の面積を有する。
【００１１】
タッチ制御要素は、タッチ感知装置により制御する機能要素を具備していてよく、機能要素が、一式の無機発光ダイオード等の光源、加熱要素、懸濁粒子装置、液晶装置、エレクトロクロミック装置、表示装置、乗物（屋根、トランク、ドア等）又は建物の施錠システム、乗物のワイパー又は空調装置の中から選択される。
【００１２】
発光ダイオードは、機能要素、好ましくはタッチ制御グレージングと連動している機能要素の状態を表示することが可能であり、特に第一の主面側に表示することができる。
【００１３】
建物の場合には、特に第一の透明グレージングは、単独で（パーティション等）用いられ得るか、又は乗物の屋根（例えばポリカーボネート屋根等のプラスチック屋根）となり得るか、又は乗物のリアウィンドウ若しくはサイドライトとなり得る。第一の透明グレージングは、可撓性（プラスチック箔又は薄いガラスシート）であってもよく、又は可撓性でなくてもよい。この第一の透明グレージングは、複層の絶縁グレージング、通常は二重グレージングユニット又は三重グレージングユニットの一部ともなり得る。この第一の透明グレージングは、内部グレージングであることが好ましい。
【００１４】
この第一の透明グレージングは、複層の絶縁グレージング、通常は冷蔵庫のドアの二重グレージングユニットの一部となり得る。
【００１５】
好ましい実施態様においては、特に乗物のフロントガラス若しくは屋根若しくはサイドウィンドウ、又は建物のドア若しくは窓を作るために構成されている、タッチ制御グレージングは、熱可塑性材料製の中間層を介して第一の透明グレージングに積層されている、好ましくは鉱物ガラス製の、第二の透明グレージングを具備している積層グレージングであり、第一の透明グレージングが、第一の主面に対向している第二の主面を有しており、第二の透明グレージングが、第一の主面、及び積層されている層の側の第一の主面に対向している第二の主面を有しており、導電層が、第一の透明グレージングの第一の主面と第二の透明グレージングの第二の主面との間に配置されている。
【００１６】
建物の場合には、積層グレージングは、複層の絶縁グレージング、通常は二重グレージングユニット又は三重グレージングユニットの一部であってもよい。この第一の透明グレージングが最内のグレージングであることが好ましい。
【００１７】
乗物は、個々の路上・陸上の乗物（車）、水による（ボート）、陸による（トラック、バス、路面電車、鉄道車両）、又は空による（航空機）輸送用の乗物であってよい。
【００１８】
本発明は、（陸上の、路上の）乗物のフロントガラス若しくは屋根若しくはサイドウィンドウ（特に熱源又は光源である機能要素のための）、又は建物のドア若しくは窓のために好ましい。
【００１９】
特異的には、タッチ制御グレージングは、特に乗物のフロントガラス若しくは屋根、又は建物のドア若しくは窓を作るために構成されており、タッチ制御グレージングは、熱可塑性材料の中間層を介して第一の透明グレージングに積層されている、第二の透明グレージングを具備している積層グレージングである。導電層は、第一の透明グレージングと第二の透明グレージングとの間に配置されている。第一の透明グレージングは、第一の主面に対向している第二の主面を有しており、第一の透明グレージングの第二の主面は、乗物又は建物の内部を向くことを意図している。第二の透明グレージングは、乗物又は建物の外部を向くことを意図している第一の主面、及び第一の主面に対向する第二の主面を有している。
【００２０】
中間層は、好ましくは少なくとも１つの熱可塑性樹脂、好ましくはポリビニルブチラール（ＰＶＢ）、エチレンビニルアセテート（ＥＶＡ）、及び／又はポリエチレンテレフタレート（ＰＥＴ）を含有している。しかしながら、熱可塑性中間層は、例えばポリウレタン（ＰＵ）、ポリプロピレン（ＰＰ）、ポリアクリレート、ポリエチレン（ＰＥ）、ポリカーボネート（ＰＣ）、ポリメチルメタクリレート、ポリ塩化ビニル、ポリアセテート樹脂、注型樹脂、アクリレート、フッ素化エチレンプロピレン、ポリフッ化ビニル、及び／又はエチレンテトラフルオロエチレン、又はこれらの共重合体若しくは混合物を含有していてもよい。熱可塑性中間層は、上下に配置されている１又は複数の熱可塑性フィルムで作られており、１つの熱可塑性フィルムの厚さは、好ましくは１ｍｍ以下、特に０．２５ｍｍ以上又は０．５ｍｍ以上で１ｍｍ以下又は０．９ｍｍ以下、典型的には０．４ｍｍ付近又は０．７ｍｍ付近である。
【００２１】
陸上の乗物については、中間層は、好ましくはポリビニルブチラール（ＰＶＢ）である。屋根又はサイドウィンドウ又はフロントガラスについては、中間層は、着色されているか又はされていない吸音ＰＶＢであり得る。フロントガラスについては、中間層は、着色されているか又はされていない、吸音又は非吸音の楔形ＰＶＢであり得る。
【００２２】
第二の透明グレージングは、プレストレスされているか、部分的にプレストレスされているか、又はプレストレスされていないガラス、特に好ましくは平坦なガラス、フロートガラス、石英ガラス、ホウケイ酸ガラス、ソーダ石灰ガラス、又は透明なプラスチック、特にポリエチレン、ポリプロピレン、ポリカーボネート、ポリメチルメタクリレート、ポリスチレン、ポリアミド、ポリエステル、ポリ塩化ビニル、及び／又はこれらの組合せを含有している。第二の透明グレージングは、好ましくは１０ｍｍ以下、８ｍｍ以下、特に好ましくは５ｍｍ以下、より特に、自動車用途（特に車）については、３ｍｍ未満の厚さを有する。この第二の透明グレージングは、強化されていてよい。第一の透明グレージングと同様に、第二の透明グレージングの面積は、広範囲で変更することができ、例えば１００ｃｍ2〜１８ｍ2である。好ましくは、第二の透明グレージングは、自動車グレージング、並びに構造及び建築グレージングのために一般的であるように、４００ｃｍ2〜４ｍ2の面積を有する。同一のサイズを有する第一の及び第二のグレージングを選択することが好ましい。
【００２３】
例として、（陸上の、路上の、輸送用の…）乗物のフロントガラスのためのタッチ制御積層グレージングは、以下を具備している：
−任意選択的に透過性であり、高透過性であり、又は、特に灰色若しくは緑色に着色されており、かつ好ましくは湾曲している、鉱物ガラスで作られており、外部グレージングペインを作っており、それぞれＳ１及びＳ２と称される上記の第一の及び第二の主面を有する、好ましくは最大で２．５ｍｍ、最大で２ｍｍ、特に１．９ｍｍ、１．８ｍｍ、１．６ｍｍ、１．４ｍｍ、又は最大で１．３ｍｍ若しくは最大で１ｍｍの厚さの、第一のグレージング；
−任意選択的に透過性であり、高透過性であり、又は、特に灰色若しくは緑色に着色されており、好ましくは熱可塑性ポリマー材料、更に良いのはポリビニルブチラール（ＰＶＢ）で作られている、最大で１．８ｍｍ、更に良いのは，最大で１．２ｍｍ、最大で０．９ｍｍ（更に良いのは少なくとも０．３８ｍｍ、少なくとも０．５ｍｍ）の厚さの、特に第一のグレージングの端面から最大で２ｍｍ後退しており、かつ第二のグレージングの端面から最大で２ｍｍ後退している、積層中間層；並びに
−好ましくは湾曲しており、かつ好ましくは透過性であり、又は高透過性であり、又は着色されている鉱物ガラスで作られており、内部グレージングペインを作っており、それぞれＳ３及びＳ４（最も内側の面）と称される上記の主面を有しており、好ましくは第一のグレージングの厚さよりも薄い、最大で２ｍｍ、特に１．９ｍｍ、１．８ｍｍ、１．６ｍｍ、１．４ｍｍ又は最大で１．３ｍｍ又は最大で１ｍｍの厚さの、第二のグレージング、ここで、第一の及び第二のグレージングペインの合計の厚さは、好ましくは厳密に４ｍｍ未満、３．７ｍｍ未満であり、表面Ｓ２及びＳ３は、積層グレージングユニットの内面である。
【００２４】
タッチ制御積層グレージングは、（路上の、陸上の）乗物の（湾曲しており四分された窓を包含している）サイドウィンドウともなり得る。
【００２５】
本発明によるタッチ制御グレージングの一実施態様においては、発光ダイオードは、分離線をまたいで配置されている。
【００２６】
好ましい実施態様においては、タッチ感知領域へと突出している接地経路を含むようにして、分離線がパターン形成されている。接地経路は、分離線の第一の部分により画定されている。発光ダイオードは、分離線の第一の部分をまたいで配置されており、発光ダイオードの第一の端子が、接地経路に電気的に接続されている。
【００２７】
タッチ感知領域は、所与の幅を有している。好ましくは、接地経路は、タッチ感知領域の幅以下の長さを有する。
【００２８】
好ましくは、タッチ感知領域は、中心点に関して対称な形状を有しており、発光ダイオードは、好ましくは（実質的に）中心点をまたいで配置されている。
【００２９】
本発明による容量性タッチ制御グレージングのより好ましい実施態様においては、導電層は、加熱領域を作るように構成されており、タッチ感知構造は、分離線（別の分離線）により加熱領域から電気的に絶縁されている。タッチ感知構造及び加熱領域は、同一の導電層の一部である。かかる配置は、特に製造するのが容易かつ経済的である。
【００３０】
分離線の幅は、好ましくは３０μｍ〜２００μｍ、特に好ましくは７０μｍ〜１４０μｍである。かかる薄い分離線は、安全かつ十分に高い電気絶縁性を可能とし、同時にタッチ制御グレージングを通した視認を僅かにのみ阻害するか、又は全く阻害しない。分離線の製造は、好ましくはレーザーパターニング又は化学的若しくは物理的除去により行う。
【００３１】
有利には、加熱領域は、加熱電流のための電流経路がブスバーの間に作られるように電圧源に接続することを意図している、少なくとも２つのブスバーに接続されている。かかる構成は、例えば国際公開第２０１５１６２１０７号パンフレットから公知である。
【００３２】
導電層は、好ましくは透明導電性コーティングを含有している。本発明による導電層は、例えば独国実用新案第２０２００８０１７６１１号公報、欧州特許出願公開第０８４７９６５号明細書、又は国際公開第２０１２／０５２３１５号明細書から公知である。導電層は、典型的には１つ又は複数、例えば２つ、３つ又は４つの導電性の機能層を含有している。機能層は、好ましくは、少なくとも１つの金属、例えば、銀、金、銅、ニッケル及び／若しくはクロム、又は金属合金を含有している。機能層は、特に好ましくは少なくとも９０重量％の金属、特に少なくとも９９．９重量％の金属を含有している。機能層は、金属合金用の金属で作られていてもよい。機能層は、特に好ましくは、銀又は銀含有合金を含有している。かかる機能層は、特に有利な導電性、及び同時に可視スペクトル範囲における高い透過率を有する。機能層の厚さは、好ましくは５ｎｍ〜５０ｎｍ、特に好ましくは８ｎｍ〜２５ｎｍである。機能層の厚さについてのこの範囲においては、可視スペクトル範囲における有利に高い透過率、及び特に有利な導電性が得られる。
【００３３】
典型的には、少なくとも１つの誘電層は、各々の場合において、導電層の２つの隣接する機能層の間に配置されている。好ましくは、第一の機能層の下方、及び／又は最後の機能層の上方に、別の誘電層が配置されている。誘電層は、誘電材料、例えば窒化物、例えば窒化ケイ素、又は酸化物、例えば酸化アルミニウムを含有している誘電材料で作られている少なくとも１つの個別の層を含む。しかしながら、誘電層は、複数の個別の層、例えば誘電材料の個別の層、平滑層、整合層、遮断層、及び／又は反射防止層を含んでもよい。誘電層の厚さは、例えば１０ｎｍ〜２００ｎｍである。
【００３４】
この層構造は、概して真空法、例えば磁場支援カソードスパッタリングにより行う一連の堆積操作により得られる。
【００３５】
他の適した導電層は、透明導電性酸化物（ＴＣＯとして知られている）、特に酸化インジウム錫（ＩＴＯ）層、フッ化酸化錫（ＳｎＯ２：Ｆ）層、又はガリウム及び／又はアルミニウムでドープされた酸化亜鉛（ＺｎＯ：Ａｌ；ＺｎＯ：Ｇａ）…である。
【００３６】
導電層は、原則として、電気的に接触できる随意のコーティングであってよい。例えば窓領域におけるグレージングの場合のように、本発明によるタッチ制御グレージングがそれを通した視認を意図している場合、導電層は、好ましくは透明である。有利な実施態様において、導電層は、２μｍ以下、特に好ましくは１μｍ以下、又は３００ｎｍ未満若しくは１００ｎｍ未満の厚さを有する、層又は複数の個別の層の層構造である。
【００３７】
導電層は、好ましくは０．４Ω／□〜２００Ω／□のシート抵抗を有する。実際には、タッチ感知装置のタッチ感知構造が流さなければならないのは、弱い電流であり、それによれば、この層のシート抵抗は、広い範囲の値において選択することができる。本発明による有利な導電層は、０．４Ω／□〜１０Ω／□のシート抵抗を有する。特に好ましい実施態様においては、本発明による導電層は、シート抵抗０．５Ω／□〜１Ω／□のシート抵抗を有する。かかるシート抵抗を有するコーティングは、特に、１２Ｖ〜４８Ｖの典型的な車内電圧、又は電気自動車の場合には、５００Ｖまでもの典型的な車内電圧で、乗物の窓グレージングを加熱するのに適している。
【００３８】
導電層は、透明であり、かつ第一の透明グレージングの（実質的に）表面全体にわたって延在していてよく（時折、例えば、特にＳ４（若しくはＳ３）上の隠蔽層の後ろ、又はＳ２上の隠蔽層とＳ３若しくはＳ４との間の周縁での随意の除去を除く）、幾らかの局所的な除去が可能である（電磁波を通過させるための、好ましくは視認できないか又は殆ど視認できない露光線等）。しかしながら、代替的には、導電層は、第一の透明グレージングの表面の一部のみに延在していてもよく（局在している）、これは、積層グレージングについては、Ｓ４（若しくはＳ３）上の又はＳ２上の隠蔽層（エナメル）である。この場合、導電層は、例えば不透明であり、銅等の金属製であってよい。更には、導電層は、例えば透明なキャリアではない局所的なキャリア、特に随意の印刷回路カード（ＰＣＢ）ともなり得る。
【００３９】
導電層は、透明であり、かつ第一の透明グレージングの（実質的に）表面全体にわたって延在しているか、又は局在していてよい。それによれば、導電層は、好ましくは加熱要素、日射調整層、低ｅ層の中から選択され、導電層は、第一の透明グレージングの第一の主面に接触しているか又は接触していない（例えばＰＶＢ等の熱可塑性層により分離されている）。
【００４０】
乗物のための積層グレージングにおいては、（乗物の内側からのタッチ制御のため）導電層は、第二の透明グレージング（外部グレージング）よりも、第一の透明グレージングに近接していることが好ましい。我々は、ＰＶＢ及び外部グレージングの厚さをこの目的で選択することができる。感受性の適合及び／又は使用者から離れる方向にあるＰＶＢ及びより厚い外部の（外側の）グレージングに起因して、外部からのより広範なスイッチは不可能となり得る。
【００４１】
導電層は、好ましくは透明グレージングの表面の少なくとも５０％、特に好ましくは少なくとも７０％、特に最も好ましくは少なくとも９０％にわたって延在している。導電層は、１又は複数のコーティングされていない領域を有していてもよい。これらの領域は、電磁放射に対して透過性であってよく、例えばデータ伝送ウィンドウ又は通信ウィンドウとして知られている。
【００４２】
積層グレージングとしての本発明によるタッチ制御グレージングの有利な実施態様においては、第一の透明グレージングの内側の表面（Ｓ３）は、２ｍｍ〜５０ｍｍ、好ましくは５ｍｍ〜２０ｍｍの幅を有する、導電層を備えていない周縁領域を有する。この場合、導電層は、大気に接触しておらず、有利には、ペインの内側において、熱可塑性中間層（ＰＶＢ等）により、損傷及び腐食に対して保護されている。
【００４３】
本発明によるタッチ制御グレージングは、導電層が配置されている第一のグレージングを具備している。層の種類に応じ、この層を保護層、例えばラッカー、ポリマーフィルム、及び／又は第二の透明グレージングで保護することが有利である。
【００４４】
本発明によるタッチ制御グレージングの有利な実施態様においては、容量性タッチ感知装置は、タッチ感知構造を制御するように構成されているセンサー電子部材アセンブリ、及びタッチ感知構造を通して発光ダイオードへと電源電圧を供給するように構成されている電圧源（好ましくはＤＣ電圧源）を具備している。センサー電子部材アセンブリ及び／又は電圧源は、好ましくは第一の透明グレージングの外側に、より好ましくは第一のグレージングの周縁領域（１つの縁）において配置されている。有利には、容量性タッチ感知装置は、一方の側で、センサー電子部材アセンブリ及び電圧源を接地電極へと接続している第一の線状の導電要素、並びにセンサー電子部材アセンブリ及び電圧源をタッチ電極へと接続している第二の線状の導電要素を具備している。
【００４５】
線状の導電要素は、好ましくは導電性ワイヤーである。必要に応じ、ワイヤーがタッチ制御グレージングを通した視認を阻害しないか又は僅かにしか阻害しないように、ワイヤーを有利には非常に薄く提供する。好ましいワイヤーは、０．２５ｍｍ以下、特に好ましくは０．０２ｍｍ〜０．１５ｍｍの厚さを有する。ワイヤーは、好ましくは、特に銅、タングステン、金、銀、若しくはアルミニウム、若しくはこれらの金属のうちの少なくとも２つの合金を含有しているか、又はこれらから作られている金属性のワイヤーである。この合金は、モリブデン、レニウム、オスミウム、イリジウム、パラジウム、又は白金を含有していてもよい。
【００４６】
ワイヤーは、好ましくは、例えばプラスチック製の電気絶縁体を被覆することにより、電気的に絶縁されている。このことは、タッチ制御グレージングの導電層又は他の導電要素上にワイヤーが及ぶ場合に特に有利である。
【００４７】
タッチ感知構造は、好ましくは１ｃｍ2〜２００ｃｍ2、特に好ましくは１ｃｍ2〜１０ｃｍ2の面積を有する。タッチ感知領域は、例えば卵形、長円形、楕円形又は円形、三角形、長方形、正方形、又は他のタイプの四辺形又はそれ以上の多角形の形状を有していてよい。
【００４８】
有利な実施態様において、容量性タッチ感知装置は、発光ダイオード及び電圧源の作動を制御するための手段を具備している。有利には、発光ダイオード及び電圧源の作動を制御するための手段は、発光ダイオード及び電圧源に直列に接続されている。
【００４９】
接地電極及びタッチ電極は、タッチ感知装置を作動させる物体、好ましくは人の指又は人の指の誘電率付近の誘電率を有する物体の近接又は接触により変化する電気容量を有するキャパシタを作ることができる。当然、タッチは、１若しくは複数の指又は人体の他の部分により行うことができる。本発明において、「タッチ」は、測定信号、すなわちこの場合、電気容量の測定可能な変化をもたらす、タッチ感知領域との随意の相互作用を意味する。
【００５０】
電気容量は、外部の電気容量センサー電子部材により測定することができる。電気容量の変化は、例えば回路配置又はセンサー電子部材により測定され、閾値を超えたときに、スイッチ信号が作動する。容量性スイッチのための回路配置は、例えば独国実用新案第２０２００６００６１９２号公報、欧州特許出願公開第０８９９８８２号明細書、米国特許第６，４５２，５１４号明細書、及び欧州特許出願公開第１５１５２１１号明細書から公知である。センサー電子部材は、好ましくは容量性センサー電子部材である。
【００５１】
発せられたスイッチ信号は、随意のタイプであってよく、また個別の用途の要求に適合していてよい。それによれば、スイッチ信号正の電圧、例えば１２Ｖを示すことができ、例えば０Ｖを示すことができるスイッチ信号は存在せず、別のスイッチ信号は、例えば＋６Ｖを示すことができる。スイッチ信号はまた、ＣＡＮ−Ｂｕｓで通例の電圧ＣＡＮ＿Ｈｉｇｈ及びＣＡＮ＿Ｌｏｗに対応していてよく、またそれらの間の電圧値により変化する。スイッチ信号は、パルス状であり、かつ／又はデジタル符号化されていてもよい。
【００５２】
センサー電子部材の感受性は、単純な実験との関係で、タッチ感知領域のサイズの関数として、並びに第一の透明グレージング、中間層、及び第二の透明グレージングの厚さの関数として測定することができる。
【００５３】
発光ダイオード（例えば無機ダイオード）は、連続的な又は点滅する光を生み出すことができる。
【００５４】
本発明によるタッチ制御グレージングの有利な実施態様においては、容量性タッチ感知装置は、タッチ感知構造を制御するように構成されているセンサー電子部材アセンブリ、及びタッチ感知構造を通して発光ダイオードへと電源電圧を供給するように構成されている電圧源、好ましくはＤＣ電圧源を具備している。センサー電子部材アセンブリ及び電圧源は、好ましくは第一のグレージングの外側に配置されている。センサー電子部材アセンブリは、人によるタッチ感知領域のタッチの際に、スイッチ信号が生み出されるように構成されていてよい。
【００５５】
有利には、容量性タッチ感知装置は、発光ダイオード及び電圧源、好ましくはＤＣ電圧源の作動を制御するための手段を具備している。有利には、発光ダイオード及び電圧源の作動を制御するための手段は、発光ダイオード及び電圧源に直列に接続されている。
【００５６】
更には、電圧源、好ましくはＤＣ電圧源は、センサー電子部材アセンブリから分離されていてよい。好ましくは、ＤＣ電圧源は、例えばタッチ感知構造に交流のスイッチ信号を、特に好ましくは少なくとも６０Ｈｚ、より好ましくは１００Ｈｚまでもの周波数で供給するセンサー電子部材アセンブリから、キャパシタにより分離されている。
【００５７】
本発明によるタッチ制御グレージングは、タッチ感知領域を表示する発光ダイオードを具備している。これは、特に透明な、視認できない、又は殆ど視認できないタッチ感知領域の場合には、特に、同一の導電層に発光ダイオードが配置されたときに、透明性を害する追加的な周縁部を有することなく、タッチ感知領域を確実にタッチすること、及びスイッチ操作を確実に作動させることを、発光ダイオードが可能とするために、特に有利である。発光ダイオードは、特に夜に又は暗闇で、これがタッチ感知領域を迅速に見つけることを可能とするので有利である。特に、本発明を乗物のグレージングとして用いるときに、交通状況から長い間注意を逸らすことなく、運転者がタッチ感知領域を発見してタッチすることが非常に容易である。発光ダイオードは、その強度により、スイッチされた機能の状況（例えば、加熱層等については、オン／オフ）を表示することもできる。
【００５８】
発光ダイオードの端子は、それらの各々の電極と直接的に接触していてよい。この場合、発光ダイオードは、導電層へと接着させるか、又は接着層若しくは随意の他の適切な手段により定位置に保持することができる。代替的には、端子は、半田接続、導電接着剤、又は導電ペーストにより、それらの各々の電極と電気的に接続されていてよい。端子は、ワイヤー結合により、それらの各々の電極と電気的に接続されていてよい。
【００５９】
本発明によるタッチ制御グレージングの有利な実施態様においては、発光ダイオードは、複数の発光半導体チップ、例えば赤色、緑色、及び青色の発光半導体チップを具備している多色発光ダイオードである。各々の発光半導体チップは、第一の端子及び第二の端子を有する。タッチ感知構造は、分離線により互いに電気的に絶縁されている複数の接地経路を具備している。このようにして、各々の第二の端子は、接地経路のうちの１つと電気的に接続されている。タッチ感知装置は、機能要素を制御することを意図している。それによれば、発光ダイオードの異なる色が、例えば機能要素の異なる状態を表示することを可能とする。
【００６０】
無機発光ダイオードは、好ましくは、（配置することがより容易な）包装されている発光ダイオードであってよい。それによれば、無機発光ダイオードは、半導体チップを具備しており、かつ電子部材の（特に反射部を作る）端面を封入し、かつチップ（時折貫通孔を有するキャリア部）を保持する、周囲の（ポリマーの又はセラミックの）包装を備えている。代替的には、無機発光ダイオードは、チップ・オン・ボード発光ダイオードであってよい。
【００６１】
一実施態様においては、発光ダイオードは、逆向きに載置されている（包装されている）発光ダイオードであり、これは、第一の及び第二の端子、並びに発光面が、発光ダイオードの同じ側に配置されていることを意味する。
【００６２】
無機ダイオードは、例えばリン化ガリウム又はアルミニウムガリウム及び窒化ガリウムをベースとしている。
【００６３】
単一の半導体チップを有するダイオード、概して正方形の形状のダイオードの幅（長さ）は、好ましくは最大で５ｍｍである。（典型的には包装により包囲されている）複数の半導体チップを有するダイオード、概して三角形の形状のダイオードの長さは、好ましくは最大で２０ｍｍであり、更に良いのは最大で１０ｍｍである。
【００６４】
代替的な実施態様においては、発光ダイオードは、有機発光ダイオード（ＯＬＥＤ）を具備している（特にＯＬＥＤである）。
【００６５】
好ましくは、有機又は無機発光ダイオードの高さは、最大で１ｍｍであり、最大で０．８ｍｍである。
【００６６】
導電層は、第一の透明グレージングに結合しているキャリアに適用されていてよい。
【００６７】
キャリアは、局在し得るか、又は好ましくは透明であり、かつ第一の透明グレージングの表面にわたって延在し得る。また、導電層は、透明であり、かつ第一の透明グレージング（及びキャリア）の表面にわたって延在しており、かつ好ましくは加熱要素、日射調整層、低ｅ層の中から選択され、導電層は、第一の透明グレージングの第一の主面Ｓ３と接触しているか又は接触していない。
【００６８】
キャリア、好ましくは透明であるキャリアは、好ましくはプラスチック箔、特にポリエチレンテレフタレート（ＰＥＴ）箔である。
【００６９】
キャリアは、積層グレージングのＳ２とＳ３との間において、好ましくは０．２ｍｍ未満、０．１ｍｍ未満の厚さを有している。上記のプラスチック箔は、好ましくはＰＶＢ等の熱可塑性シート若しくは接着剤により、第一の透明グレージングに結合しており、かつ／又はＰＶＢ等の熱可塑性シート若しくは接着剤により、第二の透明グレージングに結合している。好ましい場合は、キャリアがＰＶＢ等の熱可塑性シート（Ｓ３に向いている導電層）により第二の透明グレージングに結合されている場合、及び好ましくはＰＶＢ等の熱可塑性シートにより第一の透明グレージングに結合されている場合である。
【００７０】
キャリアフィルムは、好ましくは、少なくとも１つのポリエステル及び／又は１つのポリアミド、特に好ましくは熱可塑性ポリエステル、例えばポリエチレンナフタレート（ＰＥＮ）又はポリエチレンテレフタレート（ＰＥＴ）を含有している。このことは、キャリアフィルムの安定性及び加工性に関して特に有利である。キャリアフィルムは、接着手段により、又は中間層（ＰＶＢ等）を介して、好ましくは第二の透明グレージングを第一の透明グレージングに結合させる中間層と類似の中間層を介して、第一の透明グレージングに結合させてもよい。キャリアフィルムの厚さは、好ましくは１０μｍ〜１ｍｍ、特に好ましくは３０μｍ〜２００μｍである。この範囲の厚さにおいては、キャリアフィルムは、有利には安定でかつ容易に加工できる。キャリアフィルムの長さ及び幅は、第一の透明グレージングの長さ及び幅と等しくてよい。キャリアフィルムの長さ及び幅は、第一の透明グレージングの長さ及び幅よりも小さくてもよい（例えばＰＥＴインレット）。
【００７１】
（好ましくは、湾曲した積層グレージングユニットの曲率に追従するのに十分に可撓性である）キャリアは、窓若しくは屋根についてはＳ２、サイドウィンドウについてはＳ３に対して接着結合されているか又は押圧されていてよい。
【００７２】
一実施態様においては、キャリアは、前方のフロントガラス又は屋根の領域、外部グレージングが（最外の）不透明な層、例えば、好ましくはＳ２上の、（黒色）エナメルにより全体的に（又は部分的に）不透明にされている領域において配置されていてよい。
【００７３】
キャリアは、内部グレージングが（最内の）不透明な層、例えば、好ましくはＳ４又はＳ３上の、（黒色）エナメルにより不透明にされている領域において配置されていてよい。その結果、この不透明な層は、（堆積時にマスキングすることにより、又は特にレーザーによって除去することにより）少なくとも発光ダイオードと一直線にある開口部を含む。
【００７４】
可撓性キャリアとしては、ＫＲＥＭＰＥＬからの製品ＡＫＡＦＬＥＸ（登録商標）の範囲（特にＰＣＬ  ＦＷ）が言及できる。
【００７５】
可能性のある最も薄く、かつ好ましくは可能性のある最も目立たない（最小の幅の又は透明な）可撓性キャリア、例えばＰＥＴ、ＰＥＮ又はポリアミド等の可撓性キャリアが選択され、かつ（接続軌道が十分に薄く作られていない限り、銅製の接続軌道よりも寧ろ）透明な接続軌道も選択することができる。
【００７６】
（特に局所的なキャリアの）Ｓ２又はＳ３への接着結合のため、キャリアは、好ましくは最大で０．１５ｍｍ、更に良いのは最大で０．１ｍｍ、特に０．０５ｍｍ未満の厚さｅ３の透明両面接着剤であり、キャリアの全体の表面又は一部が接着結合している。
【００７７】
代替的な実施態様においては、タッチ制御グレージングは、複数のタッチ感知構造を具備している。
【００７８】
本発明の第二の態様は、本発明の第一の態様によるタッチ制御グレージングを製造するための方法であって、次の工程を含む、方法に関する：
−導電層を、第一の透明グレージングの第一の主面に、特に直接的に又はキャリア、好ましくは透明のキャリアを介して適用すること；
−導電層に、容量性タッチ感知構造を作ること、ここで、タッチ感知構造は、接地電極、タッチ感知領域を有するタッチ電極を具備している；
−導電層に、タッチ感知領域を表示し、タッチ感知領域の機能の状態を表示する発光ダイオードを配置すること、ここで、発光ダイオードは、タッチ感知領域に少なくとも部分的に面している発光面を有しており、発光ダイオードは、接地電極に電気的に接続されている第一の電極領域である第一の端子、及びタッチ感知領域に電気的に接続されている第二の電極領域である第二の端子を有している。
【００７９】
導電層の適用は、それ自体公知の方法、好ましくは磁場支援カソードスパッタリングにより行うことができる。これは、特に第一の透明グレージングの単純で、急速で、経済的でかつ一様なコーティングに関して特に有利である。しかしながら、導電層は、例えば物理気相成長（ＰＶＤ）、化学気相成長（ＣＶＤ）、プラズマ強化化学気相成長（ＰＥＣＶＤ）、又は湿式化学法によっても適用することができる。
【００８０】
導電層の適用後、第一の透明グレージングに温度処理を施してもよい。導電層を有する第一の透明グレージングを、少なくとも２００℃、好ましくは少なくとも３００℃まで加熱する。温度処理は、透過性を上昇させ、かつ／又は導電層のシート抵抗を低減させるために作用することができる。
【００８１】
導電層の適用後、第一の透明グレージングを、典型的には５００℃〜７００℃の温度で、湾曲させてもよい。平坦なグレージングをコーティングすることが技術的により容易であるため、第一の透明グレージングを湾曲させるべき場合には、この手順が有利である。しかしながら、代替的には、例えば導電層が損傷することなく曲げ処理に耐えるのに適していない場合には、導電層の適用前に第一の透明グレージングを湾曲させてもよい。
【図面の簡単な説明】
【００８２】
添付図面を参照して、例示的な実施態様により以下で本発明を更に説明しよう：
【００８３】
【図１Ａ】図１Ａは、本発明の第一の態様によるタッチ制御グレージングの一実施態様の上面図である；
【図１Ｂ】図１Ｂは、図１Ａの細部Ｚの拡大図である；
【図１Ｃ】図１Ｃは、図１Ｂの切断線Ａ−Ａ’に沿った断面図である；
【図１Ｄ】図１Ｄは、図１Ｂの細部Ｚ’の拡大図である；
【図１Ｅ】図１Ｅは、本発明の第二の態様による、図１Ａのタッチ制御グレージングを製造するための方法の一実施態様のフローチャートである；
【図１Ｆ】図１Ｆは、図１Ａのタッチ制御グレージングの代替的な一実施態様の詳細図である；
【図１Ｇ】図１Ｇは、図１Ａのタッチ制御グレージングの別の代替的な実施態様の詳細図である；
【図１Ｈ】図１Ｈは、図１Ａのタッチ制御グレージングの更に別の代替的な実施態様の詳細図である；
【図２】図２は、タッチ制御グレージングの代替的な一実施態様の切断線Ａ−Ａ’に沿った断面図である；
【図３Ａ】図３Ａは、積層グレージングにおいて配置されている、逆向きに載置されている無機発光ダイオードの断面図である；
【図３Ｂ】図３Ｂは、導電層に配置されている、包装されている無機発光ダイオードの断面図である；
【図３Ｃ】図３Ｃは、導電層に配置されている、チップ・オン・ボード無機発光ダイオードの断面図である；
【００８４】
図は、表示する目的でのみ示したものであり、本発明を限定するものではない。
【００８５】
図において、同一の参照番号は、同一又は類似の構成部分を示している。
【発明を実施するための形態】
【００８６】
図１Ａは、乗物のフロントガラスの形態のタッチ制御グレージング１００の例示的な実施態様を示している。タッチ制御グレージング１００は、例えば鉱物ガラス製の第一の透明グレージング１を具備している。導電層２は、第一の透明グレージングの第一の主面１に適用されている。
【００８７】
この実施態様においては、導電層２は、第一の透明グレージングの第一の主面１に直接的に適用されている。導電層２は、好ましくは透明であり、それによって、タッチ制御グレージング１００を通した視認を可能とする。導電層２は、好ましくは、例えば１つの導電性の銀層、又は誘電層（金属酸化物及び／又は金属窒化物、又はケイ素コート）により互いに分離されている、幾つか（３つ等）の導電性の銀層を含む、層系である。
【００８８】
タッチ制御グレージング１００はまた、導電層２に作られているタッチ感知表面３０を具備している、容量性タッチ感知装置３を具備している。ここで、図１Ａに加えて図１Ｂを参照すると、タッチ感知構造３０は、接地電極３１、及びタッチ感知領域３２ａを有するタッチ電極３２を具備している。接地電極３１及びタッチ電極３２は、いずれも導電層２の部分である。タッチ感知装置３は、タッチ感知領域３２ａに接触又は近接する物体、好ましくは人の指の存在により作動することができるスイッチ装置である。
【００８９】
接地電極３１及びタッチ電極３２は、容量性タッチ感知装置３を作動させる物体がタッチ感知領域３２ａに近接するか又は接触するときに変化する電気容量を有するキャパシタを作っている。容量性タッチ感知装置３は、電気容量の変化を測定する容量性センサー電子部材アセンブリ３３を具備している。測定した電気容量の変化が、センサー電子部材アセンブリ３３により設定した閾値よりも高くなったときに、スイッチ信号が作動する。スイッチ信号は、タッチ感知装置と関連している機能要素を制御することを可能とする。
【００９０】
タッチ感知構造３０を制御するセンサー電子部材アセンブリ３３は、第一の導電要素４１を介して接地電極３１に、及び第二の導電要素４２を介してタッチ電極３２に接続されている。導電要素４１、４２は、箔導体、例えば銅製の箔導体であってよい。導電要素は、好ましくは、例えばポリアミド製の電気絶縁体を被覆することにより、特に導電層２から電気的に絶縁されている。
【００９１】
タッチ電極３２は、接地電極３１により包囲されている。これらの２つの電極は、第一の分離線３５により互いに電気的に絶縁されており、好ましくは、第一の分離線は、線の片側からもう片側への電気伝導が存在しないように、この線に沿って導電層２が除去されている線である。第一の分離線３５は、例えば１００μｍの幅ｄ１（図１Ｃに示す）を有しており、かつ例えばレーザーパターニングにより導電層２に導入されている。
【００９２】
有利には、接地電極３１も、第二の分離線３６、好ましくは第一の分離線３５と類似の第二の分離線により、導電層２の残部から電気的に絶縁されている。このようにして、導電層２の残部を他の用途のために用いることができる。この実施態様においては、導電層２の残部は、加熱領域２０を作るために構成されている。実際には、電流が導電層２を通ると、導電層は、その電気抵抗及びジュール熱の発生により加熱される。その結果、導電層２を、タッチ制御グレージング１００の能動的な加熱のために用いることができる。
【００９３】
好ましくは、加熱領域２０の電気的接触のため、第一のブスバー５１は、加熱領域２０の下部のエッジゾーンに配置されており、かつ第二のブスバー５２は、加熱領域２０の上部のエッジゾーンに配置されている。ブスバー５１、５２は、例えば銀粒子を含有しており、スクリーン印刷により適用され、その後に焼成される。ブスバー５１、５２の長さは、導電層２の寸法にほぼ対応している。ブスバー５１、５２の両方は、ほぼ平行である。
【００９４】
電圧をブスバー５１、５２に印加したときに、均一な電流５がブスバー５１、５２の間の加熱領域２０の導電層２を通って流れる。各々のブスバー５１、５２のほぼ中央において、箔導体５３が配置されている。箔導体５３は、例えば半田材料、導電性接着剤により、又はタッチ制御グレージング１００の範囲内での単純な配置及び接触圧により、接触面を介してブスバー５１、５２と電気的に接続されている。箔導体５３は、例えば１０ｍｍの幅及び０．３ｍｍの厚さを有する、錫めっき銅箔を含有している。ブスバー５１、５２は、箔導体５３を介して、供給線５４を通って電圧源５５に接続されており、電圧源５５は、自動車についての標準的な車内電圧、好ましくは１２Ｖ〜１５Ｖ、例えば約１４Ｖを与える。代替的には、電圧源５５は、より高い電圧、例えば３５Ｖ〜４５Ｖ、特に４２Ｖの電圧を有していてもよい。
【００９５】
有利には、加熱領域２０は、タッチ感知装置３により制御される機能要素である。容量性タッチ感知装置３の操作によりスイッチ信号が作動したときに、加熱領域２０がオンになるか又はオフになる。
【００９６】
この実施態様においては、タッチ電極３２は、３つの異なる領域：タッチ電極３２の先端に配置されているタッチ感知領域３２ａ、タッチ電極３２の別の先端に配置されており、かつ第二の導電要素を介してセンサー電子部材アセンブリ３５が接続される、接続領域３２ｂ、及びタッチ感知領域３２ａを接続領域３２ｂに導電的に接続している供給線ゾーン３２ｃを具備している。タッチ感知領域３２ａは、実質的に滴状であり、かつ供給線ゾーン３２ｃへと推移する。用語「滴状」は、タッチ感知領域３２ａが実質的に円形であり、供給線ゾーン３２ｃの一方の側に向かって漏斗状に細くなることを意味する。タッチ感知領域３２ａは、例えば４０ｍｍの（図１Ｄに示す）幅Ｗ１を有する。供給線ゾーン３２ｃは、例えば１ｍｍの幅及び４８ｍｍの長さを有する。接続領域３２ｂは、丸みのある角を有する、例えば１２ｍｍの幅の正方形の形状を有する。この正方形は、箔導体をその形状に配置させて接触させるのに有利である。
【００９７】
供給線ゾーン３２ｃは、その小さい寸法及び接触されたときのその小さい電気容量の変化に起因して、感受性ではなく、それによって、タッチ感知領域３２ａを所望の位置に導くことを補助する。更には、タッチ感知構造３０に接続されているセンサー電子部材アセンブリ３３は、タッチ感知領域３２ａの領域におけるタッチ制御グレージング１００のゾーンのタッチの際にのみ、容量性の場が作られるようにして、その感受性を選択することもできる。対照的に、供給線ゾーン３２ｃの上でタッチ制御グレージング１００をタッチすることは、スイッチ信号を作動させない。
【００９８】
発光ダイオード６は、タッチ感知領域３２ａを表示するために、導電層２に配置されている。発光ダイオード６は、少なくとも部分的にタッチ感知領域３２ａに面している発光面を有する。これに関し、面しているとの用語は、タッチ感知領域３２ａの平面における発光面の正射影に言及する。実際に、この実施態様においては、発光面は、図１Ｃにおける矢印７により示すように、タッチ感知領域３２ａに面している。しかしながら、（図２に示す）別の実施態様においては、発光面は、反対方向を向いていてよい。発光面は、タッチ感知領域３２ａがタッチされることが意図されている側である第一の透明グレージング１の側を向いている。
【００９９】
発光ダイオード６は、順方向に接続されている。換言すれば、発光ダイオード６は、接地電極３１に電気的に接続されている第一の端子６１、及びタッチ電極３２に電気的に接続されている第二の端子６２を有する。第一の端子６１は、第一の電極領域であり、第二の端子６２は、第二の電極領域である。
【０１００】
端子６１、６２は、それらの各々の電極と直接的に接触していてよい。この場合、発光ダイオードは、導電層２接着させるか、又は接着層若しくは随意の他の適切な手段により定位置に保持することができる。代替的には、端子６１、６２は、半田接続、導電接着剤、又は導電ペーストにより、それらの各々の電極３１、３２と電気的に接続されていてよい。端子６１、６２は、ワイヤー結合により、それらの各々の電極３１、３２と電気的に接続されていてよい。
【０１０１】
有利には、タッチ感知装置３は、タッチ感知構造３０を通して発光ダイオード６へと電源電圧を供給する電圧源３７、好ましくはＤＣ電圧源を具備している。電圧源３７は、第二の導電要素４２を介してタッチ電極３２に接続されている第一の端子、及び第一の導電要素４１を介して接地電極３１に接続されている第二の端子を有する。それによれば、発光ダイオードのための独立した導電性コネクターを必要とせず、それにより、製造のコスト削減、並びに容易にされた製造方法がもたらされる。特異的には、発光ダイオード６の供給電圧からタッチ信号を分離することにより、共通回路を有する照明及びタッチ機器をもたらすことが、驚くべきことに可能であった。
【０１０２】
電圧源３７、好ましくはＤＣ電圧源は、好ましくは、例えばキャパシタ３９により、又は随意の適切な分離手段により、センサー電子部材アセンブリ３３から分離されている。それによれば、電圧源３７及びセンサー電子部材アセンブリ３３は互いに影響を及ぼさない。
【０１０３】
タッチ感知装置３は、好ましくは、発光ダイオード６、及び電圧源３７、好ましくはＤＣ電圧源３７の作動を制御するための手段３８を具備している。それによれば、発光ダイオード６は、必ずしも常にオンになってはいない。例えば、制御手段３８のおかげで、発光ダイオード６は、最も必要とされるときに、夜の間にオンになり、日中の間にオフとなることができる。この実施態様においては、制御手段３８は、発光ダイオード６及び電圧源３７と直列に接続されている。
【０１０４】
図１Ｃは、図１Ｂの切断線Ａ−Ａ’に沿った断面図である。乗物のフロントガラスとしてのタッチ制御グレージング１００のこの実施態様においては、タッチ制御グレージング１００は、熱可塑性材料製の中間層８により第一の透明グレージング１に相互に結合されている第二の透明グレージング１’を具備している、積層グレージングである。第二の透明グレージング１’は、好ましくは鉱物ガラス製である。中間層８は、例えばポリビニルブチラール（ＰＶＢ）製である。積層グレージングにおいては、（無機）発光ダイオード６及び導電層２は、損傷から保護されている。更には、中間層８は、安全ガラスを得ることを可能とする。
【０１０５】
第一のグレージング１及び第二のグレージング１’は、各々第一の主面、及び第一の主面に対向している第二の主面を有する。この実施態様においては、本分野において表面Ｓ４として知られている第一の透明グレージング１の第二の主面は、乗物の内側ＩＮＴに向けることを意図している。同様に、本分野において表面Ｓ１として知られている第二のグレージング１’の第一の主面は、乗物の外側ＥＸＴに向けることを意図している。第一の透明グレージングの第一の主面１及び第二の透明グレージングの第二の主面１’は、積層グレージングの内側の表面であり、それぞれ本分野において表面Ｓ３及びＳ２として知られている。
【０１０６】
この構成においては、タッチ感知装置３は、乗物の内側ＩＮＴから起動させることを意図している。乗物の外側ＥＸＴからスイッチすることを防止するために、センサー電子部材アセンブリ３３の感受性を適合させることができる。中間層８の厚さ及び／又は第二のグレージング１’の厚さを増加させることも可能である。
【０１０７】
図１Ｄは、図１Ｂの細部Ｚ’の拡大図を示している。好ましくは、接地電極３１がタッチ電極３２へと突出している接地経路３１ａを含むようにして、第一の分離線３５がパターン形成されている。接地経路３１ａは、分離線３５の第一の部分３５ａにより画定されている。発光ダイオード６は、分離線３５の第一の部分３５ａをまたいで配置されており、発光ダイオード６の第一の端子６１は、接地経路３１ａに電気的に接続されている。この実施態様においては、接地経路３１ａは、タッチ感知領域３２ａの内側に及んでいる。それによれば、発光ダイオード６は、接地経路３１ａ全体に沿って、タッチ感知領域３２ａに配置されていてもよい。したがって、タッチ感知領域３２ａの照明は、適切な方法で発光ダイオード６を位置合わせすることにより最適化することができる。
【０１０８】
接地経路３１ａは、タッチ感知領域３２ａの感受性が有意に低減しないように、好ましくは幅Ｗ２を有する。接地経路３１ａの端部においては、接地領域３１ｂは、発光ダイオード６の第一の端子６１との接続を促進するように配置されていてよい。この目的のため、接地領域３２ｂは、少なくとも接地経路３１ａの幅Ｗ２よりも大きい寸法Ｄを有する。この接地領域３１ｂは、随意の適切な形状、例えば正方形、長方形若しくは円形を有していてよい。
【０１０９】
好ましい実施態様においては、接地経路３１ａは、非常に感受性のある表面を損なうことを回避するため、タッチ感知領域３２ａの幅Ｗ１以下の長さＬを有している。タッチ感知領域３２ａの劣化は制限され、それによれば、その感受性は殆ど変化しないままである。
【０１１０】
タッチ感知領域３２ａは、好ましくは中心点に関して対称の形状を有している。この場合、発光ダイオード６は、タッチ感知領域３２ａの照明を最適化する目的で、好ましくは中心点をまたいで配置されている。
【０１１１】
図１Ｅは、本発明の第二の態様による、図１Ａのタッチ制御グレージング１００を製造するための方法１０００の一実施態様のフローチャートを示している。方法１００は、第一の透明グレージング１の第一の主面Ｓ３に導電層２を適用する工程Ｅ１を含む。導電層２は、好ましくは、磁場支援カソードスパッタリングにより適用する。これは、第一の透明グレージング１の容易で、急速で、経済的でかつ一様なコーティングに関して特に有利である。
【０１１２】
次いで、工程Ｅ２の間、タッチ感知構造３０の接地電極３１及びタッチ電極３２を導電層２に作る。この実施態様においては、この工程Ｅ２は、導電層２が除去されている分離線３５、３６の作製を含む。分離線３５、３６は、好ましくはレーザーパターニングにより作られ、レーザーパターニングは、コーティングを除かれた線３５、３６が視覚的に非常に目立たないものであり、外観および視野を殆ど阻害しないために特に有利である。
【０１１３】
方法１０００は、導電層２に、タッチ感知領域３２ａを照明する発光ダイオード６を配置する工程Ｅ３をも含む。好ましくは、発光ダイオード６は、タッチ感知構造３０を作る工程Ｅ２の後に配置して、この工程Ｅ２を阻害しないようにする。さもなければ、発光ダイオード６は、タッチ感知構造３０を作る工程Ｅ２の間に、例えばレーザービームを遮断し得るか、又は損傷され得る。
【０１１４】
有利には、方法１０００は、中間層８を介して第一の透明グレージング１に結合する第二の透明グレージング１’を配置する追加の工程Ｅ４を含む。第一の透明グレージング１及び第二の透明グレージング１’の結合は、好ましくは熱、真空及び／又は圧力の作用の下で行う。
【０１１５】
代替的な実施態様においては、図１Ｆに示すように、発光ダイオード６は、タッチ感知領域３２ａの縁で、分離線３５をまたいで配置されている。それによれば、タッチ感知領域３２ａの内側に接地経路を作る必要がない。したがって、製造が容易となるが、タッチ感知領域３２ａの照明は最適ではない。
【０１１６】
図１Ｇに示す別の実施態様において、発光ダイオード６は、多色発光ダイオードである。それによれば、タッチ感知装置３の状態と関連する機能要素の状態をも示す、タッチ感知装置３の状態を表示することができる。例えば、多色発光ダイオード６は、３つの発光半導体チップを具備しており、発光半導体チップの各々は、第一の端子６１ａ、６１ｂ、６１ｃ及び第二の端子６２ａ、６２ｂ、６２ｃを有する。この場合、タッチ感知構造３０は、分離線により互いに電気的に絶縁されている３つの接地経路３４ａ、３４ｂ、３４ｃをも具備している。第一の端子６１ａ、６１ｂ、６１ｃは、それぞれ接地経路３４ａ、３４ｂ、３４ｃのうちの１つに電気的に接続されている。対照的に、第二の端子６２ａ、６２ｂ、６２ｃは、全てタッチ感知領域３２ａに電気的に接続されている。それによれば、発光半導体チップを別々に操作することができる。好ましくは、接地経路３４ａ、３４ｂ、３４ｃは、それぞれ導電要素４１ａ、４１ｂ、４１ｃによりセンサー電子部材アセンブリ３３に電気的に接続されている。
【０１１７】
図１Ｈは、３つの発光半導体チップを具備している多色発光ダイオード６を用いた更に他の実施態様を示している。前に記載したように、タッチ感知構造３０は、３つの接地経路３１ａ、３４ｂ、３４ｃを具備しており、接地経路の１つ３１ａは、接地電極３１に作られている。多色発光ダイオード６の第一の端子６１ａ、６１ｂ、６１ｃは、各々接地経路３１ａ、３４ｂ、３４ｃのうちの１つに電気的に接続されており、第二の端子６２ａ、６２ｂ、６２ｃは、全てタッチ感知領域３２ａに電気的に接続されている。これによれば、この実施態様は、分離線を作るために要求される工程を少なくする。
【０１１８】
代替的な実施態様においては、発光ダイオード６は、例えば２つのみの発光半導体チップ、したがって２色、好ましくは赤色及び緑色を有している。それによれば、機能要素をオンにしたときに、発光ダイオード６は緑色の光を発し、機能要素をオフにしたときに、発光ダイオード６は赤色の光を発する。
【０１１９】
図２は、タッチ制御グレージング１００の代替的な実施態様の図１Ｂに示した切断線Ａ−Ａ’に沿った断面図である。この実施態様においては、導電層２は、第一の透明グレージング１の第一の主面Ｓ３に配置されているキャリア層９に適用されている。キャリア層９は、第一の主面Ｓ３への導電層２の適用を促進する。キャリア層９は、印刷回路カード（ＰＣＢ）、又はプラスチック箔、好ましくはポリエチレンテレフタレート（ＰＥＴ）を含有しているプラスチック箔であってよい。
【０１２０】
この実施態様においては、発光ダイオード６は、タッチ感知領域３２の反対側を向いている発光面を有する。それによれば、矢印７により示すように、発光面が乗物の内側ＩＮＴを向くようにして、キャリア層９が第一の透明グレージング１の第一の主面Ｓ３に配置されている。発光ダイオード６、導電層２及びキャリア層９は、有利には、中間層８’により、好ましくは第二の透明グレージング１’を第一の透明グレージング１に結合している中間層８と類似の中間層により、第一の透明グレージング１に結合されている、スタックを作っている。
【０１２１】
キャリア層９は、第一の透明グレージング１の表面全体にわたって延在していてよい。代替的には、キャリア層９は、第一の透明グレージング１の表面の一部のみにわたって延在していてよい。後者の場合、キャリア層９（又はスタック）を第一の透明グレージング１に結合させている中間層８’は、必須ではなく、局所的な接着手段に置き換えてもよい。
【０１２２】
図１Ａ〜図１Ｈを参照して記載しているタッチ制御グレージング１００の実施態様においては、発光ダイオード６は、図３Ａに示すように、逆向きに載置されている、包装されている発光ダイオードである。発光ダイオード６は、発光ダイオード６の同一の側に配置されている第一の端子６１ａ、第二の端子６２ａ及び発光面を有する。それによれば、タッチ感知領域３２ａを操作することを意図している乗物の内側に向けて光が放射される。導電層２、及び存在する場合にはキャリア層９が、光が通過することを可能とするのに十分に透明ではない場合には、発光面の前で、これらの層に小さなビアホールを作ってもよい。
【０１２３】
この逆向きに載置されている発光ダイオード６は、発光ダイオード６の（発光面と対向しているものとしての）背面に配置されている、第一の導電パッド６１ｂ及び第二の導電パッド６２ｂを具備している。第一の導電パッド６１ｂ及び第二の導電パッド６２ｂは、各々第一の端子６１ａ及び第二の端子６２ａに電気的に接続されている。この包装されている発光ダイオード６も、包装６３の内部に配置されており、かつそれぞれ第一の導電パッド６１ｂ及び第二の導電パッド６２ｂと電気的に接続されている（図示せず）第一の電極６１ｃ及び第二の電極６２ｃを有する、発光半導体チップ６０を具備している。
【０１２４】
別の実施態様において、発光ダイオード６は、図３Ｂに示すように、タッチ感知領域３２ａの反対側を向いている発光面を有する、標準的な包装されている発光ダイオード６であってよい。この包装されている発光ダイオード６は、発光ダイオード６の同一の側に配置されている第一の端子６１ａ及び第二の端子６２ａを有する。それによれば、包装されている発光ダイオード６は、分離線３５の第一の部分３５ａをまたいで配置されていてよい。第一の端子６１ａ及び第二の端子６２ａは、第一の導電層６１ｂ及び第二の導電層６２ｂとそれぞれ電気的に接続されている。包装されている発光ダイオード６は、包装６３の内部に配置されており、かつ第一の導電層６１ｂに配置されている、発光半導体チップ６０を具備している。発光半導体チップ６０は、第一の導電層６１ｂと直接的に接触している第一の電極６１ｃ、及びボンディングワイヤー６４により第二の導電層６２ｂに電気的に接続されている第二の電極６２ｃを有する。
【０１２５】
代替的には、発光ダイオード６は、図３Ｃに示すように、チップ・オン・ボード発光ダイオード６であってよい。この場合、発光ダイオード６は、導電層２に直接的に配置されている発光半導体チップである。このようにして、発光ダイオード６を、分離線３５の第一の部分３５ａ側に配置する。第一の電極６１ｃは、接地経路３１ａと直接的に接触しており、かつ第二の電極６２ｃは、ボンディングワイヤー６４’によりタッチ感知領域３２ａと電気的に接続されている。この構成は、信頼性はより低いが、実施するのが容易である。
【０１２６】
本発明を加熱機能に関してより多く説明してきたが、タッチ感知装置は、乗物に配置することができる種々の他の機能要素、例えば（後部）ワイパー又は空調装置を制御するためにも適している。本発明は、自動車用ではないグレージング、例えば建築のグレージング、建物のための随意のグレージング（パーティション、扉、窓、二重又は三重グレージングの部分…）における使用のためにも十分に適している。
【０１２７】
センサー電子部材アセンブリは、第一の透明グレージングに面していてよい。積層グレージングについては、センサー電子部材アセンブリは、中間層（ＰＶＢ、ＥＶＡ等）の内部又は中間層に存在していてよい。
【０１２８】
センサー電子部材アセンブリは、ＡＣをタッチ感知構造に供給するように構成されているＡＣ（電圧）源を具備していてよい。次いで、ＤＣ電圧源は、特にキャパシタにより、センサー電子部材アセンブリから分離されていてもよい。
【図１Ａ】
2019525399.tif 000003
【図１Ｂ】
2019525399.tif 000004
【図１Ｃ】
2019525399.tif 000005
【図１Ｄ】
2019525399.tif 000006
【図１Ｅ】
2019525399.tif 000007
【図１Ｆ】
2019525399.tif 000008
【図１Ｇ】
2019525399.tif 000009
【図１Ｈ】
2019525399.tif 000010
【図２】
2019525399.tif 000011
【図３Ａ】
2019525399.tif 000012
【図３Ｂ】
2019525399.tif 000013
【図３Ｃ】
2019525399.tif 000014
【国際調査報告】
2019525399.tif 000015
2019525399.tif 000016
2019525399.tif 000017